(57)【要約】【課題】ユーザーが読み出しを希望するディスクフォーマットの記録面を確実に認識できるようにする。【解決手段】両面にデータ記録面を有し、そのうちの一方が第１の記録面２であり、他方が第２の記録面３であるハイブリッド型の光ディスク媒体１であって、前記第１の記録面２のディスク表面におけるディスククランプ領域よりも外側の領域には、前記第２の記録面３のディスクフォーマットを識別すべく“ＨＤＤＶＤ”、“ＮＯ  ＤＶＤ”と表示された第１のラベル６が剥離可能に貼り付けられ、前記第２の記録面３のディスク表面におけるディスククランプ領域よりも外側の領域には、前記第１の記録面２のディスクフォーマットを識別すべく“ＤＶＤ”、“ＮＯ  ＨＤＤＶＤ”と表示された第２のラベル７が剥離可能に貼り付けられている。【選択図】図１
2007133948.tif 000002
【特許請求の範囲】
【請求項１】
両面にデータ記録面を有し、そのうちの一方が第１の記録面であり、他方が第２の記録面であるハイブリッド型の光ディスク媒体であって、
前記第１の記録面側のディスク表面には、前記第２の記録面から読み出す情報再生信号のディスクフォーマットを示す識別情報が表示された第１のラベルが剥離可能に貼り付けられ、
前記第２の記録面側のディスク表面には、前記第１の記録面から読み出す情報再生信号のディスクフォーマットを示す識別情報が表示された第２のラベルが剥離可能に貼り付けられていることを特徴とする光ディスク媒体。
【請求項２】
請求項１に記載された光ディスク媒体において、
前記第１のラベルの色と前記第２のラベルの色とが異なっていることを特徴とする光ディスク媒体。
【請求項３】
請求項１又は２に記載された光ディスク媒体において、
前記第１のラベルと前記第２のラベルとは同一形状に形成され、且つディスクの回転中心に対して対称となるようにそれぞれ貼り付けられていることを特徴とする光ディスク媒体。
【請求項４】
請求項１乃至３のうち何れか１項に記載された光ディスク媒体において、
前記第１のラベル及び前記第２のラベルは、前記ディスク表面におけるディスククランプ領域よりも外側の領域にそれぞれ貼り付けられていることを特徴とする光ディスク媒体。
【請求項５】
両面にデータ記録面を有し、そのうちの一方が第１の記録面であり、他方が第２の記録面であるハイブリッド型の光ディスク媒体であって、
前記第１の記録面側のディスク表面におけるディスククランプ領域内には、前記第２の記録面から読み出す情報再生信号のディスクフォーマットを示す識別情報が表示され、
前記第２の記録面側のディスク表面におけるディスククランプ領域内には、前記第１の記録面から読み出す情報再生信号のディスクフォーマットを示す識別情報が表示されていることを特徴とする光ディスク媒体。
【請求項６】
請求項５に記載された光ディスク媒体において、
前記第１の記録面と前記第２の記録面との間で且つディスククランプ領域に対応する位置には、表示層が設けられており、
前記ディスクフォーマットを示す識別情報は、前記表示層に表示されていることを特徴とする光ディスク媒体。
【請求項７】
両面にデータ記録面を有し、そのうちの一方が第１の記録面であり、他方が第２の記録面であるハイブリッド型の光ディスク媒体であって、
前記第１の記録面側のディスク表面には、前記第２の記録面から読み出す情報再生信号のディスクフォーマットを示す識別情報が凹凸文字で表示され、
前記第２の記録面側のディスク表面には、前記第１の記録面から読み出す情報再生信号のディスクフォーマットを示す識別情報が凹凸文字で表示されていることを特徴とする光ディスク媒体。
【請求項８】
請求項１乃至７のうち何れか１項に記載された光ディスク媒体において、
前記第１の記録面側に表示する識別情報は、前記第２の記録面におけるディスクフォーマットの規格を示す情報と、該第１の記録面におけるディスクフォーマットの規格ではないことを示す情報とを含み、
前記第２の記録面側に表示する識別情報は、前記第１の記録面におけるディスクフォーマットの規格を示す情報と、該第２の記録面におけるディスクフォーマットの規格ではないことを示す情報とを含んでいることを特徴とする光ディスク媒体。
【発明の詳細な説明】
【技術分野】
【０００１】
本発明は、両面に異なるディスクフォーマットの記録面を有した光ディスク媒体に関し、特に、ユーザーが再生を希望するディスクフォーマットがどちらの面にあるかを認識するための技術に関する。
【背景技術】
【０００２】
近年、ハイブリッド型の光ディスク媒体として、両面ともに２層構造で、片面が記録容量３０ＧＢのＨＤＤＶＤ（High Definition DVD）、もう片面が記録容量８．５ＧＢのＤＶＤ−ＲＯＭディスクが開発されている。本ディスクをユーザーがＤＶＤ再生機にロードする際に、どちらがＤＶＤ−ＲＯＭ再生面かをユーザーに確実に認識させる必要があるが、その手段は不明である（例えば、非特許文献１参照）。
【非特許文献１】［平成１７年５月１１日検索］、インターネット  ＜http://www.toshiba.co.jp/about/press/2005_05/pr_j1101.htm＞
【発明の開示】
【発明が解決しようとする課題】
【０００３】
しかしながら、ディスクフォーマットを識別するために、ディスク表面にディスクフォーマット識別用のラベルを印刷してしまうと、その印刷部分にはレーザービームが透過しないため、情報再生信号を読み出すことができなくなるという問題がある。
【０００４】
そのため、ユーザーは、どちらの面がどちらのディスクフォーマットで読み出すべきかを認識することが困難である。
【０００５】
本発明は、かかる点に鑑みてなされたものであり、その目的とするところは、ユーザーが読み出しを希望するディスクフォーマットの記録面を確実に認識できるようにすることにある。
【課題を解決するための手段】
【０００６】
すなわち、本発明は、両面にデータ記録面を有し、そのうちの一方が第１の記録面であり、他方が第２の記録面であるハイブリッド型の光ディスク媒体であって、
前記第１の記録面側のディスク表面には、前記第２の記録面から読み出す情報再生信号のディスクフォーマットを示す識別情報が表示された第１のラベルが剥離可能に貼り付けられ、
前記第２の記録面側のディスク表面には、前記第１の記録面から読み出す情報再生信号のディスクフォーマットを示す識別情報が表示された第２のラベルが剥離可能に貼り付けられていることを特徴とするものである。
【０００７】
従って、本発明によれば、ユーザーは、読み出したいディスクフォーマットを示す規格名、ロゴ、又は記号等が記載されているラベルを残し、その反対側のディスク表面に貼り付けられているラベルを剥がすことで、一般的な片面ディスクと同じ状態となることから、ユーザーがＤＶＤプレイヤ等の再生機器に光ディスク媒体を装填する際に、装填方向を間違うことがなくなり、ユーザーの利便性が向上する。
【０００８】
また、例えば、第１の記録面が赤色レーザーを用いるＤＶＤフォーマットであり、第２の記録面が青色レーザーを用いるＨＤＤＶＤフォーマットである場合には、第１のラベルの色をＨＤＤＶＤフォーマットと同じ青色にし、第２のラベルの色をＤＶＤフォーマットと同じ赤色にすれば、どちらのディスクフォーマットであるかが視覚的に判別できるため、さらに認識性を高めることができて好ましい。
【０００９】
また、前記第１のラベルと前記第２のラベルとを同一形状として、光ディスク媒体の回転中心に対して対称となるようにそれぞれ貼り付けることより、第１の記録面と第２の記録面との間で、第１及び第２のラベルの貼り付け位置に起因する質量のアンバランスが解消され、光ディスク媒体の偏荷重を最小にすることができ、光ディスク媒体を高速回転した場合の振動発生を少なくすることができる。
【００１０】
また、ディスククランプ領域以外のディスク表面に前記第１及び第２のラベルを貼り付けることで、再生時にディスククランパとラベルとが接触することを回避でき、ラベルの剥がれを抑制する上で有利な効果が得られる。
【００１１】
また、ディスクフォーマットを示すラベル表示を、レーザービームでの読み出しに影響を与えないディスククランプ領域内に限定して印刷表示した光ディスク媒体とすることで、片面のラベルを剥がすといった作業が不要となる。
【００１２】
また、ディスククランプ領域内のディスク表面におけるディスクフォーマットを、第１及び第２の記録面の間に挟まれた表示層に表示するようにすれば、ディスククランパとディスク表面の表示部分とが接触せず、経年使用に伴って表示が不鮮明になることを回避することができる。
【００１３】
また、ディスクフォーマットを示す表示を、ディスク表面に形成された凹凸文字により表現するようにすれば、ラベルの貼り付けや印刷作業が不要となり、ユーザーの利便性を向上する上で有利な効果が得られる。
【００１４】
また、前記第１のラベルに、第１の記録面から読み出す情報再生信号のディスクフォーマットを示す規格ではないことをも表示し、前記第２のラベルに、第２の記録面から読み出す情報再生信号のディスクフォーマットを示す規格ではないことをも表示するようにすれば、ユーザーは、その光ディスク媒体が、両面から読み出す構造のハイブリッド型の光ディスク媒体であり、異なる２つのディスクフォーマットが何であるのかを、片面のラベルを見ることで容易に認識することができる。
【発明の効果】
【００１５】
以上のように、本発明によれば、ユーザーは、読み出したいディスクフォーマットを示す規格名、ロゴ、又は記号等が記載されているラベルを残し、その反対側のディスク表面に貼り付けられているラベルを剥がすことで、一般的な片面ディスクと同じ状態となることから、ユーザーがＤＶＤプレイヤ等の再生機器に光ディスク媒体を装填する際に、装填方向を間違うことがなくなり、ユーザーの利便性が向上する。
【発明を実施するための最良の形態】
【００１６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１７】
＜実施形態１＞
図１は、本発明の実施形態１に係る光ディスク媒体の構造を示す概略断面図である。図１に示すように、光ディスク媒体１は、両面にデータ記録面を有し、そのうちの一方が第１の記録面２であり、他方が第２の記録面３であるハイブリッドディスクである。
【００１８】
また、光ディスク媒体１内部には、前記第１の記録面２側から照射される第１のレーザービーム８を反射して第１のレーザービーム反射光９を出力する第１の反射層４と、前記第２の記録面３側から照射される第２のレーザービーム１０を反射して第２のレーザービーム反射光１１を出力する第２の反射層５とが形成されている。
【００１９】
なお、本実施形態１に係る光ディスク媒体１は、ＤＶＤとＨＤＤＶＤとのいわゆるハイブリッドディスクであり、第１の反射層４はＤＶＤのディスクフォーマットに準拠して形成され、第２の反射層５はＨＤＤＶＤのディスクフォーマットに準拠して形成されているものとする。
【００２０】
図２は、本実施形態１に係る光ディスク媒体１を第１の記録面２から見たときの平面図であり、図３は、光ディスク媒体１を第２の記録面３から見たときの平面図である。
【００２１】
前記第１の記録面２のディスク表面におけるディスククランプ領域１２よりも外側の領域には、前記第２の記録面３のディスクフォーマットを識別すべく“ＨＤＤＶＤ”、“ＮＯ  ＤＶＤ”と表示された第１のラベル６が剥離可能に貼り付けられている。
【００２２】
また、前記第２の記録面３のディスク表面におけるディスククランプ領域１２よりも外側の領域には、前記第１の記録面２のディスクフォーマットを識別すべく“ＤＶＤ”、“ＮＯ  ＨＤＤＶＤ”と表示された第２のラベル７が剥離可能に貼り付けられている。
【００２３】
なお、本実施形態１では、第１及び第２のラベル６，７には、ディスクフォーマットを示す規格名を表示するようにしたが、この形態に限定するものではなく、例えば、識別のためのロゴや記号等を表示するようにしても構わない。
【００２４】
次に、本実施形態１に係る光ディスク媒体１の使用手順について説明する。まず、ユーザーが、ディスク両面に貼り付けられた第１及び第２のラベル６，７を見て、自分の使用したいディスクフォーマットがどちらの面にあるのかを認識する。
【００２５】
具体的に、ユーザーがＨＤＤＶＤを使用したい場合には、第１の記録面２のディスク表面に貼り付けられた“ＨＤＤＶＤ”、“ＮＯ  ＤＶＤ”と表示されている第１のラベル６を残し、その反対側の第２の記録面３のディスク表面に貼り付けられている“ＤＶＤ”、“ＮＯ  ＨＤＤＶＤ”と表示された第２のラベル７を剥がすようにする。
【００２６】
これにより、一般的な片面ディスクと同じ状態となることから、ユーザーがＤＶＤプレイヤ等の再生機器に光ディスク媒体１を装填する際に、装填方向を間違うことがなくなり、ユーザーの利便性が向上する。
【００２７】
また、ディスククランプ領域１２以外のディスク表面に前記第１及び第２のラベル６，７を貼り付けたから、再生時にディスククランパとラベルとが接触することを回避でき、ラベルの剥がれを抑制する上で有利な効果が得られる。
【００２８】
なお、本実施形態１のように、第１の記録面２が赤色レーザーを用いるＤＶＤフォーマットであり、第２の記録面３が青色レーザーを用いるＨＤＤＶＤフォーマットである場合には、第１のラベル６の色をＨＤＤＶＤフォーマットと同じ青色にし、第２のラベルの色をＤＶＤフォーマットと同じ赤色にすれば、どちらのディスクフォーマットであるかが視覚的に判別できるため、さらに認識性を高めることができて好ましい。この点は、以下の実施形態についても同様である。
【００２９】
図４は、第１及び第２の記録面２，３に貼り付けるラベルの別の形態を示す図である。図４に示すように、第１の記録面２のディスク表面には、半円弧形状の第１のラベル１３が貼り付けられており、第２の記録面３のディスク表面には、前記第１のラベル１３と同一形状であって該第１のラベル１３の貼り付け位置に対してディスクの回転中心に対称となる位置に、第２のラベル１４が剥離可能に貼り付けられている。
【００３０】
このようにすれば、第１の記録面２と第２の記録面３との間で、第１及び第２のラベル１３，１４の貼り付け位置に起因する質量のアンバランスが解消され、光ディスク媒体１の偏荷重を最小にすることができ、光ディスク媒体１を高速回転した場合の振動発生を少なくすることができる。
【００３１】
＜実施形態２＞
図５は、本実施形態２に係る光ディスク媒体の構造を示す平面図である。前記実施形態１との違いは、第１及び第２のラベルの構成のみであるため、以下、実施形態１と同じ部分については同じ符号を付し、相違点についてのみ説明する。なお、以下の実施形態についても同様とする。
【００３２】
図５は、光ディスク媒体を第１の記録面から見た平面図であり、図６は、第２の記録面から見た平面図である。図５及び図６に示すように、
前記第１の記録面２側のディスククランプ領域には、前記第２の記録面３のディスクフォーマットを識別すべく“ＨＤＤＶＤ”、“ＮＯ  ＤＶＤ”と印刷表示されており、前記第２の記録面３側のディスククランプ領域には、前記第１の記録面２のディスクフォーマットを識別すべく“ＤＶＤ”、“ＮＯ  ＨＤＤＶＤ”と印刷表示されている。
【００３３】
以上のように、本実施形態２に係る光ディスク媒体によれば、ディスクフォーマットを示すラベル表示を、レーザービームでの読み出しに影響を与えないディスククランプ領域１２内に限定して印刷表示することで、実施形態１のように、片面のラベルを剥がすといった作業が不要となる。
【００３４】
＜実施形態３＞
図７は、本発明の実施形態３に係る光ディスク媒体の構造を示す概略断面図である。図７に示すように、ディスククランプ領域に対応する位置には、第１の記録面２と第２の記録面３との間に挟まれた状態で、透明な表示層１５が設けられている。
【００３５】
図８は、光ディスク媒体を第１の記録面から見た平面図であり、図８に示すように、前記表示層１５には、第１の記録面２から見て“ＨＤＤＶＤ”と印字されているとともに、“ＤＶＤ”の鏡文字が印字されている。
【００３６】
一方、第２の記録面３から見た場合には、先ほどとは逆に、前記表示層１５には、“ＤＶＤ”と印字されているとともに、“ＨＤＤＶＤ”の鏡文字が印字されているように見える。
【００３７】
以上のように、本実施形態３に係る光ディスク媒体によれば、第１の記録面２から見た場合には、その裏面となる第２の記録面３がＨＤＤＶＤディスクフォーマットであることが認識でき、第２の記録面３から見た場合には、その裏面となる第１の記録面２がＤＶＤディスクフォーマットであることが認識できる。
【００３８】
また、ディスククランプ領域１２内のディスク表面におけるディスクフォーマットを、第１及び第２の記録面２，３の間に挟まれた表示層１５に表示するようにしたから、ディスククランパとディスク表面の表示部分とが接触せず、経年使用に伴って表示が不鮮明になることを回避することができる。
【００３９】
＜実施形態４＞
図９は、本発明の実施形態４に係る光ディスク媒体の構造を示す平面図であり、第１の記録面から見た状態を示す。図１０は、第２の記録面から見た平面図である。
【００４０】
図９に示すように、第１の記録面２のディスク表面におけるディスククランプ領域１２よりも外側の領域には、第２の記録面３のディスクフォーマットを識別すべく“ＨＤＤＶＤ”、“ＮＯ  ＤＶＤ”との表示が、ディスク表面に形成された凹凸文字１６により表現されている。
【００４１】
また、前記第２の記録面３のディスク表面におけるディスククランプ領域１２よりも外側の領域には、前記第１の記録面２のディスクフォーマットを識別すべく“ＤＶＤ”、“ＮＯ  ＨＤＤＶＤ”との表示が、ディスク表面に形成された凹凸文字１７により表現されている。
【００４２】
以上のように、本実施形態４に係る光ディスク媒体によれば、ディスクフォーマットを示す表示を、ディスク表面に形成された凹凸文字により表現するようにしたから、ラベルの貼り付けや印刷作業が不要となり、ユーザーの利便性を向上する上で有利な効果が得られる。
【産業上の利用可能性】
【００４３】
以上説明したように、本発明は、ユーザーが読み出しを希望するディスクフォーマットの記録面を確実に認識できるという実用性の高い効果が得られることから、きわめて有用で産業上の利用可能性は高い。特に、新旧２つのディスクフォーマットが再生可能な再生機器においては、新しいディスクフォーマットの記録面を正しく装填することことが可能であり、新しいディスクフォーマットへの遷移における過渡期の光ディスク媒体として有効である。
【図面の簡単な説明】
【００４４】
【図１】本発明の実施形態１に係る光ディスク媒体の構造を示す概略断面図である。
【図２】本実施形態１に係る光ディスク媒体を第１の記録面から見た平面図である。
【図３】本実施形態１に係る光ディスク媒体を第２の記録面から見た平面図である。
【図４】本実施形態１に係る光ディスク媒体の別の構成を示す斜視図である。
【図５】本実施形態２に係る光ディスク媒体を第１の記録面から見た平面図である。
【図６】本実施形態２に係る光ディスク媒体を第２の記録面から見た平面図である。
【図７】本実施形態３に係る光ディスク媒体の構造の概略断面図である。
【図８】本実施形態３に係る光ディスク媒体を第１の記録面から見た平面図である。
【図９】本実施形態４に係る光ディスク媒体を第１の記録面から見た平面図である。
【図１０】本実施形態４に係る光ディスク媒体を第２の記録面から見た平面図である。
【符号の説明】
【００４５】
１    光ディスク媒体
２    第１の記録面
３    第２の記録面
４    第１の反射層
５    第２の反射層
６    第１のラベル
７    第２のラベル
８    第１のレーザービーム
９    第１のレーザービーム反射光
１０    第２のレーザービーム
１１    第２のレーザービーム反射光
１２    ディスククランプ領域
１３    第１のラベル
１４    第２のラベル
１５    表示層
１６    凹凸文字
１７    凹凸文字
【図１】
2007133948.tif 000003
【図２】
2007133948.tif 000004
【図３】
2007133948.tif 000005
【図４】
2007133948.tif 000006
【図５】
2007133948.tif 000007
【図６】
2007133948.tif 000008
【図７】
2007133948.tif 000009
【図８】
2007133948.tif 000010
【図９】
2007133948.tif 000011
【図１０】
2007133948.tif 000012